(57)【要約】【課題】  製造コストが安くて手軽に使用することができ、取り扱いが簡単で廃棄処理等が容易であり、長い時間にわたって良い香りを周囲に漂わすことができるように工夫した芳香容器及び芳香容器具を提供する。【解決手段】  一側に差し込み部１１を有し、他側に香料液ＦＭを内部１０Ｈに注入することができる芳香口１２を設けた中空容器体１０の全体を、少なくとも上記差し込み部１１がスポンジ製オアシス又はジェルアレンジＯＳに差し込めるだけの強度性を備えた板紙を用いて構成する。【選択図】    図２
0003106798.tif 000002
【実用新案登録請求の範囲】
【請求項１】
中空容器体の一側に略三角状に尖らせた差し込み部を設け、この差し込み部の反対側部分には、香料液を内部に注入することができる芳香口を開口した芳香容器であって、
当該芳香容器の全体を、少なくとも上記略三角状に尖らせた差し込み部が、切り花のアレンジメントに使用するスポンジ製オアシスやジェルアレンジ、又は、スポンジ製或いは発砲スチロール製の載置台等に対して自由に差し込むことができる強度性を備えた板紙又は段ボールを用いて構成したことを特徴とする芳香容器。
【請求項２】
全体を板紙又は段ボールで造った中空容器体に、芳香口の近くに沿わせた状態で複数の芳香用小孔を穿孔したことを特徴とする請求項１に記載の芳香容器。
【請求項３】
全体を板紙又は段ボールで造った中空容器体において、その芳香口の形状を波形、鋸歯形、又は、凹凸状に形成したことを特徴とする請求項１に記載の芳香容器。
【請求項４】
プラスチック材や陶磁器或いはガラスといった比較的硬質な材料を用いて、全体を切り花のアレンジメントに使用するスポンジ製オアシスやジェルアレンジ、又は、その他スポンジ製或いは発砲スチロール製の載置台等に対して自由に差し込むことができるように、一端側を尖らせ、且つ、他端側には取付部を設けた鞘体と、
一側に鞘体の取付部に対して嵌め合わせ、挟持或いは接着といった取付け手段を介して装着することができる先端部を有し、他側には香料液を内部に注入することができる芳香口を開口して成る中空容器体と、によって構成したことを特徴とする芳香容器具。
【請求項５】
プラスチック材や陶磁器或いはガラスといった比較的硬質な材料を用いて、全体を切り花のアレンジメントに使用するスポンジ製オアシスやジェルアレンジ、又は、その他スポンジ製或いは発砲スチロール製の載置台等に対して自由に差し込むことができるように、一端側を尖らせ、且つ、他端側には取付部を設けた鞘体と、
全体或いは一部に香料液が含浸されていて、先端部を上記鞘体の取付部に対して嵌め合わせ、挟持或いは接着といった取付手段を介して装着できるように構成した布、紙、或いはスポンジといった各種浸潤性素材から成る芳香部材と、によって構成したことを特徴とする芳香容器具。
【考案の詳細な説明】
【技術分野】
【０００１】
本考案は、切り花のアレンジメント（生け花）や、その他各種の陳列物或いは展示物等に対して、優れた芳香作用を発揮させて、見る人をリラックスさせることができる芳香容器及び芳香容器具に関するものである。
【背景技術】
【０００２】
例えば、切り花のアレンジメントに香りをつける場合は、霧吹きの中に水と香料を混ぜた香料液を入れて、これを切り花に吹き付けるか、香料液を入れた容器を口に開いた状態で切り花の近くに置くことによって、思い思いの香りを楽しんでいた。
【０００３】
しかし、水と香料を混合した香料液は香りの寿命が短くて、香りを常に漂わすためには霧吹きによる吹き付けを比較的短い時間をおいて頻繁に繰り返す必要があるため、その手間が非常に煩雑で、且つ、香料の使用量が増えて不経済であると云った欠点があり、また、香料液の容器をそのまま切り花のアレンジメントの近くに置くと、この容器が目障りになってアレンジメント自身の雰囲気を壊したり、芸術性或いは商品価値等に悪影響を及ぼす問題があり、更に、容器を不用意に倒して中の香料液を零す場合もあって、その対策が望まれていた。
【０００４】
そこで本出願人は、特許文献１によって、比較的長い時間に亘って良い香りを周囲に漂わすことができ、且つ、それ自体が陳列物等の目障りにならないように工夫した芳香容器を提供した。
【特許文献１】実用新案登録第２５９４６８８号公報
【考案の開示】
【考案が解決しようとする課題】
【０００５】
ところが、上記特許文献１に記載の芳香容器は、全体が比較的硬質なプラスチック又はガラスを用いて薄く、且つ、一側に略三角状に尖らせた差し込み部を設け、他側に芳香口を開口した中空容器状に造られた複雑な構成であるため、製造コストが高くて手軽に使用できない。使い捨てにするには単価が高くて不経済である。廃棄する時に不燃ゴミとして区分けする必要であって煩雑である。といった、各種の問題があった。
【０００６】
従って本考案の技術的課題は、製造コストが安くて手軽に使用することができ、取り扱いが簡単で廃棄処理等が容易であり、長い時間にわたって良い香りを周囲に漂わすことができるように工夫した芳香容器及び芳香容器具を提供することである。
【課題を解決するための手段】
【０００７】
（１）  上記の技術的課題を解決するために、本考案の請求項１に係る芳香容器は、中空容器体の一側に略三角状に尖らせた差し込み部を設け、この差し込み部の反対側部分には、香料液を内部に注入することができる芳香口を開口した芳香容器であって、当該芳香容器の全体を、少なくとも上記略三角状に尖らせた差し込み部が、切り花のアレンジメントに使用するスポンジ製オアシスやジェルアレンジ、又は、スポンジ製或いは発砲スチロール製の載置台等に対して自由に差し込むことができる強度性を備えた板紙又は段ボールを用いて構成したことを特徴としている。
【０００８】
（２）  また、本考案の請求項２に係る芳香容器は、全体を板紙又は段ボールで造った中空容器体に、芳香口の近くに沿わせた状態で複数の芳香用小孔を穿孔したことを特徴としている。
【０００９】
（３）  また、本考案の請求項３に係る芳香容器は、全体を板紙又は段ボールで造った中空容器体において、その芳香口の形状を波形、鋸歯形、又は、凹凸状に形成したことを特徴としている。
【００１０】
（４）  一方、本考案の請求項４に係る芳香容器具は、プラスチック材や陶磁器或いはガラスといった比較的硬質な材料を用いて、全体を切り花のアレンジメントに使用するスポンジ製オアシスやジェルアレンジ、又は、スポンジ製或いは発砲スチロール製の載置台等に対して自由に差し込むことができるように、一端側を尖らせ、且つ、他端側には取付部を設けた鞘体と、一側に鞘体の取付部に対して嵌め合わせ、挟持或いは接着といった取付け手段を介して装着することができる先端部を有し、他側には香料液を内部に注入することができる芳香口を開口して成る中空容器体と、によって構成したことを特徴としている。
【００１１】
（５）  更に本考案の請求項５に係る芳香容器具は、プラスチック材や陶磁器或いはガラスといった比較的硬質な材料を用いて、全体を切り花のアレンジメントに使用するスポンジ製オアシスやジェルアレンジ、又は、スポンジ製或いは発砲スチロール製の載置台等に対して自由に差し込むことができるように、一端側を尖らせ、且つ、他端側には取付部を設けた鞘体と、全体或いは一部に香料液が含浸されていて、先端部を上記鞘体の取付部に対して嵌め合わせ、挟持或いは接着といった取付手段を介して装着できるように構成した布、紙、或いはスポンジといった各種浸潤性素材から成る芳香部材と、によって構成したことを特徴としている。
【００１２】
上記（１）で述べた手段によれば、中空容器体を略三角状に尖らせた差し込み部を利用して例えば切り花のアレンジメントに使用するスポンジ製オアシスやジェルアレンジ、又は、各種陳列物や展示物のスポンジ製、又は、発砲スチロール製載置台等に差し込んで取付けることができるから、この中に香料液を注入することによって、切り花のアレンジメントを始めとする各種陳列物や展示物自体の目障りになったり邪魔になることなく、その周辺に良い香りを漂わせることができ、また、香料液を滴下する芳香口は差し込み部の反対側に設けられている関係で、差し込み部をオアシス等に差し込んで取り付けると芳香口が常に上方に向くため、滴下した香料液が外に零れることがなく、長期に亘って良好な芳香作用を発揮することを可能にする。
【００１３】
更に上記（１）で述べた手段によれば、当該芳香容器（中空容器体）の全体が板紙又は段ボールを用いて形成されているため、従来のプラスチック製又はガラス製のものに比較して製造コストを安くすることができ、また、廃棄する時には分別することなく切り花と一緒に可燃ゴミとして処分することができるものであって、取り扱いが容易で手軽に利用できる芳香容器を提供することを可能にする。更に、段ボールを用いて造った芳香容器は、その芳香口の切り口形状及び容器本体の断面形状が凹凸形状を成すため、芳香容器の表面積が増して芳香効果を高めることを可能にする。
【００１４】
上記（２）で述べた手段によれば、中空容器体内に滴下した香料液が、芳香口と複数の芳香用小孔から四方に放香されるため、周囲に良い香りを満遍なく行き届せることができると共に、これ等複数の芳香用小孔は芳香容器の飾りともなって、製品価値を高めることを可能にする。
【００１５】
上記（３）で述べた手段によれば、芳香口の口縁形状を波形、鋸歯形、或いは、凹凸形に形成して、その切り口断面積を多く取ることができるため、芳香口からの芳香効果を高めることを可能にする。
【００１６】
上記（４）で述べた手段によれば、比較的硬質な材料で造った鞘体をオアシスやジェルアレンジ等に差し込み、この鞘体の取付部に対して、内部に芳香液を注入した中空容器体の先端部を嵌め合わせ、挟持或いは接着といった取付手段を介して取付けるか、又は、鞘体の取付部に対して取付手段を介して中空容器体を取付けた後に、芳香液を中空容器体の中に注入することにより、その周辺部に良い香りを漂わせることができる。また、予めオアシスやジェルアレンジ等に鞘体を差し込んでおいた場合には、中空容器体の取付けを素早く、而も、確実に行うことができるものであって、紙等の比較的軟質な材料で造った中空容器体であっても、鞘体を用いて極めて簡単にオアシスやジェルアレンジ等に装着することを可能にする。
【００１７】
更に上記（４）で述べた手段によれば、中空容器体を紙で造った場合には、鞘体だけを外して中空容器体を分別せずに切り花等と一緒に可燃ゴミとして処分することができると共に、鞘体はこれをオアシスやジェルアレンジ等から取り外すことにより、繰り返し使用したり、リサイクルに回したりすることを可能にする。
【００１８】
上記（５）で述べた手段によれば、比較的硬質な材料で造った鞘体を予めオアシスやジェルアレンジ等に差し込んでおき、この取付部に、香料液を含浸させた布や紙或いはスポンジ等で造った芳香部材を嵌め合わせ、挟持或いは接着といった取付手段を介して装着することによって、その周辺部に良い香りを漂わせることができるものであって、中空容器体を使用する場合に比較して、極めて手軽に、且つ、低コストにて香りを楽しむことを可能にする。
【考案の効果】
【００１９】
本考案に係る芳香容器及び芳香容器具は以上述べた如くであって、切り花のアレンジメントを初めとする各種陳列物とか展示物の周囲に良好な香りを漂わせて、これ等各種陳列物や展示物等に色や形以外の香りのテーマを持たせ、見る人をよりリラックスさせる優れた芳香効果を発揮することができるのであるが、本考案では特に、香料液を直接中空容器体内に注入したり各種浸潤性素材に含浸させて使用するため、香りの寿命が長くなって長時間に亘って常に良好な香りを周囲に漂わせることができる。また、略三角形状に尖らせた差し込み部をオアシスやジェルアレンジ等の被取付物体に差し込んで取付ける中空容器体は、芳香口を常時上方に向けた状態で取付けられるため、内部に収容した香料液が外部に零れる心配もなく安心して使用できる利点を発揮できるものであって、中空容器体を板紙や段ボールで造ったり、浸潤性素材の使用によってコストを安くした点、使用後の処分を容易にした点、芳香口の近くに小孔を設けたり、芳香口の切り口断面積を多く取って芳香効果を高める点、並びに、各種陳列物や展示物の目障りにならずに使用できる点と相俟って、その実用的価値は極めて高い。
【考案を実施するための最良の形態】
【００２０】
以下に、上述した本考案に係る芳香容器及び芳香容器具の実施の形態を図面と共に説明すると、図１は前記請求項１と２に記載の芳香容器の実施例を説明した構成図であって、図中、符号１０で全体的に示したのは、全体をスリーブ状に造った中空容器体で、この容器体１０の一側には略三角形状に尖らせた差し込み部１１が形成され、差し込み部１１の反対側部分にはスポイトＳＰ等を用いて内部１０Ｈに香料液ＦＭを注入できるように構成した芳香口１２が開口されている。１３…は芳香口１２に沿わせた状態で中空容器体１０の上縁部分に並べて複数穿孔した芳香用小孔であって、内部１０Ｈに注入した光量液ＦＭは、その香りを上記の芳香口１２とこれ等各芳香用小孔１３…から周囲に飛散させることができ、また、これ等各芳香用小孔１３…は、それ自体が中空容器体１０の装飾となる意匠性を備えている。
【００２１】
更に上記中空容器体１０の全体は、少なくとも上記差し込み部１１の部分を後述するオアシスやジェルアレンジ等に差し込むことができる強度性を備えた板紙を用いて一体に形成されていて、使用後は、分別せずにそのまま切り花等と一緒に「可燃ゴミ」として廃棄することを可能にしている。
【００２２】
また、図示はしていないが中空容器体１０の全体を段ボールを用いて造ったり、芳香口１２の形状を波形、鋸歯形、或いは、凹凸形に形成することにより、その切り口断面積を多く取って芳香効果を高めることもできる。
【００２３】
図２は、上記図１に示した構成の芳香容器を切り花のアレンジメント（生け花）に使用している状態の一例を示したものであって、図中、ＯＳはスポンジ等を用いて適当な大きさ、及び、形状に構成したオアシス、又は、全体がゼリー状で、水を含ませると必要な大きさに変形するジェルアレンジであって、切り花ＨＮ…は水を含ませたこのオアシス又はジェルアレンジＯＳに直接差して生ける仕組みに成っており、また、本考案の芳香容器（中空容器体１０）は、オアシス又はジェルアレンジＯＳの大きさに合わせた任意の数が夫々略三角形状に尖らせた差し込み部１１の部分をオアシス又はジェルアレンジＯＳ側に差し込んで取付けられ、且つ、芳香口１２から中空容器体１０の内部１０ＨにスポイトＳＰ等を用いて切り花ＨＮ…の寿命に見合った量の香料液ＦＭを注入して使用されるものであって、差し込み部１１の部分をオアシス又はジェルアレンジＯＳ側に差し込んだ中空容器体１０の全体は、図示の如く芳香口１２を上方又は斜め上方に向けた状態で取付けられるため、注入された香料液ＦＭを外に零すことなく、良い香りをこの芳香口１２と芳香用小孔１３…から発散してアレンジメントの周囲に漂わせ、アレンジメントに色や形だけではなく香りのテーマを持たせて、見る人をよりリラックスさせることができるように構成されている。
【００２４】
次に、図３は前記請求項３及び４に係る芳香容器具で使用される鞘体２０の一実施例を示した傾斜図であって、鞘体２０は前記オアシス又はジェルアレンジＯＳや、その他スポンジ製或いは発砲スチロール製の載置台等（図示省略）に対して自由に差し込んで装着することができるように、全体をプラスチックや陶磁器或いはガラス等の比較的硬質の材料を用いて、一端側を尖らせた差し込み部２１とし、他側に取付部と成る嵌込口２２を開口した断面略円錐体状又は略角錐体状の筒状に形成され、且つ、その全体は図４に示すように、前記図１示した中空容器体１０と同じ形状に形成された中空容器体３０の先端部３１を、その内部２０Ｈに差し込んで（嵌込んで）装着できる形状、及び、大きさに形成されている。
【００２５】
図４において、３２は中空容器体３０の芳香口、３３…は芳香用小孔、ＦＭは中空容器体３０の内部３０Ｈに注入した香料液で、香料液ＦＭを内部に収容した図４に示す中空容器体３０は、図６に示すように上記の鞘体２２を用いてオアシス又はジェルアレンジＯＳ等に取付けて、その香りを芳香口３２と芳香用小孔３３…から周囲に放出することができる。
【００２６】
また、上記鞘体２０を介してオアシス又はジェルアレンジＯＳ等に取付けられる中空容器体３０の全体は、比較的軟質の紙や、或いは、腰のある布地等を用いて一体形成されていて、使用後は、そのまま「可燃ゴミ」として分別せずに廃棄することを可能とし、且つ、鞘体２０はこれを繰り返し使用することを可能にしている。
【００２７】
図５は、前記請求項４に記載の芳香容器具の構成を説明したものであって、図中、４０は前記図４に示した中空容器体３０に代えて鞘体２０の内部２０Ｈに差し込んで取付けられている芳香部材を示す。
【００２８】
この芳香部材４０は、その全体又は一部に香料液ＦＭを含浸させた布、紙、スポンジといった各種浸潤性素材を用いて構成されていて、図６に示すように上記の鞘体２２を用いてオアシス又はジェルアレンジＯＳ等に取付けて、含浸させた香料液ＦＭの香りを周囲に放出することができ、また、含浸させた香料液ＦＭが飛散して香りが少なくなった場合は、図１に示したスポイトＳＰ等を用いて香料液ＦＭを補充したり、或いは、香料液ＦＭを含浸させた新たな芳香部材４０と交換することにより再生ことが可能である。
【００２９】
上記図３乃至図５に示した実施例では、鞘体２０の嵌込口２２の内部に中空容器体３０又は芳香部材４０の先端部を嵌め込んで取付ける構成が示されているが、これは実施の一例であって、例えば鞘体２０の全体を差込片状又は差込針状に造って、これ等の差込片又は針の取付部に中空容器体３０や芳香部材４０を嵌着したり、或いは、挟持、接着等の各種取付手段によって取付けるようにしてもよく、その設計と選択は任意とする。
【図面の簡単な説明】
【００３０】
【図１】請求項１、２に係る本考案の構成を説明した斜視図。
【図２】図１に示した芳香容器の使用例を説明した斜視図。
【図３】請求項３、４で用いる鞘体の一例を示した斜視図。
【図４】請求項３に係る本考案の構成例を示した斜視図。
【図５】請求項４に係る本考案の構成例を示した斜視図。
【図６】図４と図５に示した芳香容器具の使用例を説明した斜視図。
【符号の説明】
【００３１】
１０          中空容器体
１１          差し込み部
１０Ｈ        内部
１２          芳香口
１３          芳香用小孔
ＦＭ          香料液
ＯＳ          オアシス又はジェルアレンジ
２０          鞘体
２１          差し込み部
２２          嵌込口
３０          中空容器体
３１          先端部
３０Ｈ        内部
３２          芳香口
３３          芳香用小孔
４０          芳香部材
【図１】
0003106798.tif 000003
【図２】
0003106798.tif 000004
【図３】
0003106798.tif 000005
【図４】
0003106798.tif 000006
【図５】
0003106798.tif 000007
【図６】
0003106798.tif 000008